【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
電子部品の実装対象となる基板を搬送する第１基板搬送レーンおよび第２基板搬送レーンを基板搬送方向に並列配置して成る基板搬送機構と、
前記基板搬送機構の側方に設けられ、電子部品を平面配列で格納したトレイを収納するトレイ収納部からこのトレイを引き出して部品取り出し位置まで移動させる機能を有する第１トレイ供給機構および第２トレイ供給機構から成るトレイフィーダと、
前記部品取り出し位置まで移動した前記トレイから電子部品を取り出して保持する実装ヘッドおよびこの実装ヘッドを移動させるヘッド移動機構より成る部品実装機構と、
前記基板搬送機構、部品供給部、部品実装機構を制御する制御部とを備えた電子部品実装装置を用い、
前記トレイから前記実装ヘッドによって電子部品を取り出して前記基板搬送機構によって搬送された基板に実装する部品実装方法であって、
前記第１基板搬送レーンによって第１基板を、前記第２基板搬送レーンによって前記第１基板とは品種が異なる第２基板をそれぞれ搬送し、
前記第１トレイ供給機構によって前記第１基板に実装される第１部品を、前記第２トレイ供給機構によって前記第２基板に実装される第２部品をそれぞれ供給し、
前記第１トレイ供給機構および第２トレイ供給機構のいずれかにおいて、当該トレイ供給機構からの電子部品の取り出しを以後行わない旨を意味する使用停止設定がなされたならば、前記制御部は、使用停止設定がなされたトレイ供給機構のトレイ収納部への作業者による作業アクセスを許容することにより、電子部品実装装置において部品実装作業を継続しながら、使用停止設定がなされたトレイ供給機構を対象として、次の基板品種を生産するための先行段取り替え作業を実行することを特徴とする電子部品実装方法。
【請求項２】
前記使用停止設定は、前記制御部への作業者の操作入力に基づいて行われることを特徴とする請求項１記載の電子部品実装方法。
【請求項３】
電子部品の実装対象となる基板を搬送する第１基板搬送レーンおよび第２基板搬送レーンを基板搬送方向に並列配置して成る基板搬送機構と、
前記基板搬送機構の側方に設けられ、電子部品を平面配列で格納したトレイを収納するトレイ収納部からこのトレイを引き出して部品取り出し位置まで移動させる機能を有する第１トレイ供給機構および第２トレイ供給機構から成るトレイフィーダと、
前記部品取り出し位置まで移動した前記トレイから電子部品を取り出して保持する実装ヘッドおよびこの実装ヘッドを移動させるヘッド移動機構より成る部品実装機構と、
前記基板搬送機構、部品供給部、部品実装機構を制御する制御部とを備えた電子部品実装装置において、
前記第１基板搬送レーンによって第１基板を、前記第２基板搬送レーンによって前記第１基板とは品種が異なる第２基板をそれぞれ搬送し、
前記第１トレイ供給機構によって前記第１基板に実装される第１部品を、前記第２トレイ供給機構によって前記第２基板に実装される第２部品をそれぞれ供給し、
前記第１トレイ供給機構および第２トレイ供給機構のいずれかにおいて、当該トレイ供給機構からの電子部品の取り出しを以後行わない旨を意味する使用停止設定がなされたならば、前記制御部は、使用停止設定がなされたトレイ供給機構のトレイ収納部への作業者による作業アクセスを許容することにより、電子部品実装装置において部品実装作業を継続しながら、使用停止設定がなされたトレイ供給機構を対象として、次の基板品種を生産するための先行段取り替え作業を実行することを特徴とする電子部品実装装置。
【請求項４】
前記使用停止設定は、前記制御部への作業者の操作入力に基づいて行われることを特徴とする請求項３記載の電子部品実装装置。
【請求項５】
請求項３記載の電子部品実装装置を備えることを特徴とする部品実装ライン。
【手続補正２】
【補正対象書類名】明細書
【補正対象項目名】発明の名称
【補正方法】変更
【補正の内容】
【発明の名称】電子部品実装方法及び電子部品実装装置ならびに部品実装ライン
【手続補正３】
【補正対象書類名】明細書
【補正対象項目名】０００１
【補正方法】変更
【補正の内容】
【０００１】
本発明は、トレイフィーダが配置された部品供給部から電子部品を取り出して基板に移送搭載する電子部品実装方法及び電子部品実装装置ならびに部品実装ラインに関するものである。
【手続補正４】
【補正対象書類名】明細書
【補正対象項目名】０００６
【補正方法】変更
【補正の内容】
【０００６】
そこで本発明は、品種切換え時の段取替え作業を先行して実行可能で、品種切替に伴う装置停止時間を短縮することができる電子部品実装方法及び電子部品実装装置ならびに部品実装ラインを提供することを目的とする。
【手続補正５】
【補正対象書類名】明細書
【補正対象項目名】０００７
【補正方法】変更
【補正の内容】
【０００７】
本発明の電子部品実装方法は、電子部品の実装対象となる基板を搬送する第１基板搬送レーンおよび第２基板搬送レーンを基板搬送方向に並列配置して成る基板搬送機構と、前記基板搬送機構の側方に設けられ、電子部品を平面配列で格納したトレイを収納するトレイ収納部からこのトレイを引き出して部品取り出し位置まで移動させる機能を有する第１トレイ供給機構および第２トレイ供給機構から成るトレイフィーダと、前記部品取り出し位置まで移動した前記トレイから電子部品を取り出して保持する実装ヘッドおよびこの実装ヘッドを移動させるヘッド移動機構より成る部品実装機構と、前記基板搬送機構、部品供給部、部品実装機構を制御する制御部とを備えた電子部品実装装置を用い、前記トレイから前記実装ヘッドによって電子部品を取り出して前記基板搬送機構によって搬送された基板に実装する部品実装方法であって、前記第１基板搬送レーンによって第１基板を、前記第２基板搬送レーンによって前記第１基板とは品種が異なる第２基板をそれぞれ搬送し、前記第１トレイ供給機構によって前記第１基板に実装される第１部品を、前記第２トレイ供給機構によって前記第２基板に実装される第２部品をそれぞれ供給し、前記第１トレイ供給機構および第２トレイ供給機構のいずれかにおいて、当該トレイ供給機構からの電子部品の取り出しを以後行わない旨を意味する使用停止設定がなされたならば、前記制御部は、使用停止設定がなされたトレイ供給機構のトレイ収納部への作業者による作業アクセスを許容することにより、電子部品実装装置において部品実装作業を継続しながら、使用停止設定がなされたトレイ供給機構を対象として、次の基板品種を生産するための先行段取り替え作業を実行する。
また本発明の電子部品実装装置は、電子部品の実装対象となる基板を搬送する第１基板搬送レーンおよび第２基板搬送レーンを基板搬送方向に並列配置して成る基板搬送機構と、前記基板搬送機構の側方に設けられ、電子部品を平面配列で格納したトレイを収納するトレイ収納部からこのトレイを引き出して部品取り出し位置まで移動させる機能を有する第１トレイ供給機構および第２トレイ供給機構から成るトレイフィーダと、前記部品取り出し位置まで移動した前記トレイから電子部品を取り出して保持する実装ヘッドおよびこの実装ヘッドを移動させるヘッド移動機構より成る部品実装機構と、前記基板搬送機構、部品供給部、部品実装機構を制御する制御部とを備えた電子部品実装装置において、前記第１基板搬送レーンによって第１基板を、前記第２基板搬送レーンによって前記第１基板とは品種が異なる第２基板をそれぞれ搬送し、前記第１トレイ供給機構によって前記第１基板に実装される第１部品を、前記第２トレイ供給機構によって前記第２基板に実装される第２部品をそれぞれ供給し、前記第１トレイ供給機構および第２トレイ供給機構のいずれかにおいて、当該トレイ供給機構からの電子部品の取り出しを以後行わない旨を意味する使用停止設定がなされたならば、前記制御部は、使用停止設定がなされたトレイ供給機構のトレイ収納部への作業者による作業アクセスを許容することにより、電子部品実装装置において部品実装作業を継続しながら、使用停止設定がなされたトレイ供給機構を対象として、次の基板品種を生産するための先行段取り替え作業を実行する。
また本発明の部品実装ラインは、請求項３記載の電子部品実装装置を備える。
【手続補正６】
【補正対象書類名】明細書
【補正対象項目名】００５０
【補正方法】変更
【補正の内容】
【００５０】
本発明の電子部品実装方法及び電子部品実装装置ならびに部品実装ラインは、品種切換え時の段取替え作業を先行して実行可能で、品種切替に伴う装置停止時間を短縮することができるという効果を有し、多品種の基板を対象として部品実装作業を行う分野において有用である。